(57)【要約】  本発明は、複数のキー要素１０１を備える動的表示キーボードに関連し、各キー要素は、透過部に入射する光の少なくとも一部を透過可能な透過部１０２を備え、マット１０５は、触覚フィードバックを提供することが可能な複数の隆起要素１０６，１０７，１０９，２０１，２０２を備え、かつ開口部１１３を備え、各キー要素は、少なくとも１つのスペーサ１２０１を介して少なくとも１つのそれぞれの隆起要素に固定接続され、少なくとも１つの表示装置１１１，９１１は、可動部９０１を備え、および可動部の少なくとも一部９０４は、キー要素および隆起要素の間に配置され、および透過部を通り伝播する光が、対応するキー要素の表示値を規定する。このように、動的表示キーボードは、キーボードのキーに対する使用者の動作に応じて触覚フィードバックを提供することができる。さらに、キーボードで電力が必要な要素は、表示装置のみである。
2013524604.tif 000002
【特許請求の範囲】
【請求項１】
動的表示キーボードであって、
−  各キー要素が透過部に入射する光の少なくとも一部を透過するよう構成された透過部を備える、複数のキー要素と、
−  各隆起要素が触覚フィードバックを提供するよう構成されている、各キー要素のための隆起要素と、
−  各キー要素を少なくとも１つのそれぞれの隆起要素に固定接続するための、各キー要素のための少なくとも１つのスペーサと、
−  フレーム部を備え、かつ各キー要素のための可動部を備える表示装置であって、各可動部は、前記フレーム部に対して移動可能であり、各可動部の外側部分は、それぞれのキー要素および対応する前記隆起要素の間に位置し、前記表示装置は、それぞれの透過部を通り伝播する光であるそれぞれの外側部分からの光が、対応する前記キー要素の表示値を規定するように構成されている、表示装置と、
を備える、動的表示キーボード。
【請求項２】
前記表示装置が、前記フレーム部と、各可動部とを備える薄い可撓性層ディスプレイを備える、請求項１に記載の動的表示キーボード。
【請求項３】
前記薄層表示装置の厚さが、０．１ｍｍ〜０．２ｍｍの範囲である、請求項２に記載の動的表示キーボード。
【請求項４】
前記薄層表示装置に統合されたデータバスを備え、前記データバスが、各前記可動部の前記外側部分をアドレス指定する、請求項２または３に記載の動的表示キーボード。
【請求項５】
前記隆起要素を含む弾性マットを備え、それぞれの前記隆起要素が各々それぞれの前記キー要素の移動方向を制御するよう構成されている、請求項１〜４のいずれか一項に記載の動的表示キーボード。
【請求項６】
前記隆起要素を含む弾性マットを備え、各前記隆起要素がそれぞれのシザース式要素に固定接続され、かつ各前記シザース式要素がそれぞれの前記キー要素の移動方向を制御するよう構成されている、請求項１〜４のいずれか一項に記載の動的表示キーボード。
【請求項７】
前記キー要素が固定接続されている前記隆起要素の一部は、硬く、かつ導電性である、請求項１〜６のいずれか一項に記載の動的表示キーボード。
【請求項８】
各キー要素のためのカラーを備える層を備え、各キー要素は、それぞれのカラーに固定接続されている、請求項１〜７のいずれか一項に記載の動的表示キーボード。
【請求項９】
前記動的表示キーボードが少なくとも１つの支持要素をさらに備え、該支持要素は、各キー要素のためのカラーを備える前記層と、前記マットとの間に配置され、かつ各キー要素のためのカラーを備える前記層を支持する、請求項５または６を引用する場合の請求項８に記載の動的表示キーボード。
【請求項１０】
前記表示装置の前記フレーム部の上部から前記可動部のそれぞれの外側部分の上部までの高さが、２．０ｍｍ〜３．０ｍｍの範囲から選択される、請求項１〜９のいずれか一項に記載の動的表示キーボード。
【請求項１１】
前記透過部が透明である、請求項１〜１０のいずれか一項に記載の動的表示キーボード。
【請求項１２】
押下されたキー要素を検出するよう構成されたプリント回路基板を備える、請求項１〜１１のいずれか一項に記載の動的表示キーボード。
【請求項１３】
前記表示装置が前記弾性マットの下に配置され、および前記弾性マットが各キー要素のための開口部を備えており、それぞれのキー要素に関連する前記表示装置のそれぞれの可動部が、前記開口部を通って誘導され、かつ前記キー要素と前記キー要素が固定接続された前記隆起要素との間の間隙に配置されるように構成されている、請求項５または６を引用する場合の請求項７〜１２のいずれか一項に記載の動的表示キーボード。
【請求項１４】
前記表示装置が前記弾性マットの上に配置されており、それぞれのキー要素に関連する前記表示装置のそれぞれの可動部が、前記キー要素と前記キー要素が固定接続された前記隆起要素との間の間隙に配置されるように構成されている、請求項５または６を引用する場合の請求項７〜１３のいずれか一項に記載の動的表示キーボード。
【請求項１５】
キーボードのためのキーであって、
−  透過部に入射する光の少なくとも一部を透過する透過部を備えるキー要素と、
−  前記キーが押下されている場合に触覚フィードバックを提供するよう構成された隆起要素と、
−  前記キー要素および前記隆起要素の間に間隙が設けられるように、前記キー要素を前記隆起要素に固定接続するための少なくとも１つのスペーサであって、前記間隙は、表示装置の可動部の外側部分を備えるよう構成されている、少なくとも１つのスペーサと、
を備える、キー。
【請求項１６】
前記隆起要素が、前記少なくとも１つの表示装置および前記複数のキー要素の間に配置された弾性マットに含まれ、かつ前記隆起要素は、前記キー要素の移動方向を制御するよう構成されている、請求項１５に記載のキー。
【請求項１７】
前記隆起要素は、シザース式要素に固定接続され、および前記シザース式要素は、前記キー要素の移動方向を制御するよう構成されている、請求項１５または１６に記載のキー。
【発明の詳細な説明】
【技術分野】
【０００１】
本発明は、動的表示キーボードに関連する。本発明はさらに、動的表示キーボードに対応するキーに関連する。
【背景技術】
【０００２】
今日、例えばある日はキリル文字のセットを提供し、次の日は中国語の文字を提供するというように、キーボードの記号が動的に変化することが可能である動的表示キーボードに大きい需要がある。
【発明の概要】
【発明が解決しようとする課題】
【０００３】
既存の動的表示キーボードの課題は、とりわけ例えば大きさ、重量およびキーの触覚反応について従来のキーボードとの類似性を欠いているということである。
【課題を解決するための手段】
【０００４】
本発明の目的は、とりわけ上述の課題を解決することである。上述の課題は、動的表示キーボードが複数のキー要素を備え、各キー要素が、透過部への入射光の少なくとも一部を透過するよう構成された透過部を備えることによって解決される。動的表示キーボードは、各キー要素に対して隆起要素をさらに備え、各隆起要素は、触覚フィードバックを提供するよう構成されている。動的表示キーボードは、各キー要素を少なくとも１つのそれぞれの隆起要素に固定接続するために、各キー要素に対して少なくとも１つのスペーサをさらに備えることができる。動的表示キーボードは、表示装置をさらに備え、該表示装置は、フレーム部を備えることができ、かつ各キー要素のための可動部を備えることができる。各可動部は、フレーム部に対して移動可能である。各可動部の外側部分は、各キー要素および対応する隆起要素の間に配置されることができる。表示装置はさらに、それぞれの外側部分からの光（光は、それぞれの透過部を通り伝播する）が対応するキー要素の表示値を規定するように構成されることができる。
【０００５】
それによりキーボードが動的であり、かつさらにキーボードのキーに対する使用者の動作に応じて触覚フィードバックを提供することができるということが達成される。さらに、電力が必要なキーボードの要素は、表示装置のみである。さらに例えばシザース式要素キーボードなどの既存のキーボード技術に統合することができる動的表示キーボードが提供される。他の実施形態および利点は、下記の詳細な説明、特許請求の範囲および図面に提供される。
【図面の簡単な説明】
【０００６】
【図１ａ】動的表示キーボードの実施形態を示す。
【図１ｂ】ドーム要素のＸ−Ｘ軸に沿った円形断面形状の実施形態を示す。
【図１ｃ】ドーム要素のＸ−Ｘ軸に沿った正方形断面形状の実施形態を示す。
【図１ｄ】マット上に配置された表示装置を示す。
【図２】導電性の固定器を備える動的表示キーボードの実施形態を示す。
【図３】導電性の固定器を備える動的表示キーボードのキー要素が押下された状態の実施形態を示す。
【図４】キー要素が含まれる層をさらに備える動的表示キーボードの実施形態を示す。
【図５】動的表示キーボードのキー要素が押下された状態の実施形態を示す。
【図６】動的キーボードのキーがシザース式要素を備える実施形態を示す。
【図７】取り外し可能な部品および光生成層を備える動的表示キーボードを備えるデバイスの実施形態を示す。
【図８】薄層表示装置９１１を備える表示装置１１１の実施形態９００を示す。
【図９ａ】動的表示キーボードのキー１２００の実施形態を示す。
【図９ｂ】表示装置１１１がマット１０５の上に配置された図９ａの実施形態を示す。
【発明を実施するための形態】
【０００７】
図１ａは、動的表示キーボード１００の実施形態を示す。動的表示キーボードは、複数のキー要素１０１、例えば複数の英数字のキーを備える。各キー要素１０１は、透過部１０２に入射した光の少なくとも一部を透過することが可能な透過部１０２を備える。
【０００８】
実施形態において、透過部１０２は、透明ポリマーまたは石英ガラス等、すなわち入射光の高い透過率を有する材料から作られる、および／または当該材料を備えることができる。追加的な実施形態において、透過部１０２は、人間が見える入射光、すなわち約３８０ｎｍ（紫色光）から約７５０ｎｍ（赤色光）の範囲の波長の光に対する高い透過率を有する材料から作られる、および／または当該材料を備えることができる。
【０００９】
透過部１０２は、図１ａに示されるようにキー要素１０１の上部に配置することができる。それにより、（例えばＯＬＥＤまたはＬＣＤなどのフラットパネルディスプレイのような）光生成装置１１１の画素グループ１１２などの光生成装置から透過部１０２に入射する光は、例えば光経路１０４を通り使用者１０３に到達することができる。透過部１０２は、接着、加硫等によってキー要素１０１に接続することができる。
【００１０】
動的表示キーボード１００は、ゴムなどの弾性および可撓性の材料から作られるおよび／または当該材料を備えるマット１０５をさらに備えることができる。マット１０５は、触覚フィードバックを提供することが可能なドーム要素１０６，１０７，１０９などの複数の隆起要素を備えることができる。ドーム要素１０６，１０７，１０９は、マット１０５と同じ材料で作ることができる。一実施形態において、ドーム要素１０６，１０７，１０９を備えるマット１０５は、１つの部品として成形することができる。ドーム要素１０６，１０７，１０９は、マット１０５に面する一端部１１８において開口し、および透過部１０２に面する他端部１１７において閉鎖することができる。さらに、ドーム要素１０６，１０７，１０９は、中空とすることができる。
【００１１】
各キー要素１０１は、以下に開示されるように少なくとも１つのドーム要素１０６に固定接続される。図１ａに示されるように、キー要素１０１は、１つのドーム要素１０７に固定接続され、かつキー要素１０８は、２つのドーム要素１０６および１０９に固定接続される。キー要素１０１，１０８に固定接続されるドーム要素１０６，１０７，１０９の数は、キー要素の大きさに依存することができ、大きいキー（例えばスペースキー）は、複数のドーム要素に接続され、および小さいキー（例えば文字キー）は、単一のドーム要素に接続されることができる。
【００１２】
コンピュータキーボードにおいて、例えばＳＨＩＦＴキーは、２つのドーム要素に固定接続されることができ、英数字キーは、１つのドーム要素に固定接続されることができ、およびスペースバーは、４つのドーム要素に固定接続されることができる。
【００１３】
「固定接続される」という語句は、キー要素が、ドーム要素に載置される、および／またはドーム要素に接着、または加硫される、および／またはドーム要素に溶着される、および／またはドーム要素と成型される、という意味に理解されるべきである。
【００１４】
実施形態において、ドーム要素１０６，１０７，１０９は、キー要素１０１，１０８がそこで移動することができる寸法の管理を提供する。ドーム要素１０６，１０７，１０９は、実施形態において、キー要素１０１，１０８が移動することができる方向を制限する。実施形態において、キー要素が移動することができる方向は、ゴムマット１０５に垂直な方向１１０、またはゴムマット１０５に実質的に垂直な方向、例えば９０度＋／−５度の方向とすることができる。
【００１５】
ドーム要素を変形させるために、関連するキー要素を使用者が押すことにより提供される外力が必要である。ドーム要素は、移動方向１１０の成分を有する外力がキー要素１０１に加えられる場合に移動方向１１０に沿って変形することが可能な軟質のプラスチックまたはゴムまたは任意の他の材料から作られる、および／または当該材料を備えることができる。実施形態において、ドーム要素１０６は、変形する前に、移動方向１１０の閾値力が必要であるようにすることができ、それによりキー要素１０１に力を加える使用者に触覚応答を提供し、かつ外力が加えられていない場合にキー要素の移動方向１１０に実質的に変形することなく、ドーム要素がキー要素１０１の重量に耐えることができる。
【００１６】
それにより、ドーム要素１０６，１０７，１０９は、例えば使用者がキー要素を押す使用者の動作に応じて触覚フィードバックを提供することができる。
【００１７】
キー要素１０１は、ドーム要素よりも硬い材料で作られる、および／または当該材料を備えることができる。例えば、キー要素１０１は、メラミン樹脂で作られる、および／またはメラミン樹脂を備えることができる。
【００１８】
図１ｂは、ドーム要素１０６，１０７，１０９のＸ−Ｘ軸に沿った円形横断面図を示す。
【００１９】
図１ｃは、ドーム要素１０６，１０７，１０９のＸ−Ｘ軸に沿った正方形横断面図を示す。
【００２０】
動的表示キーボード１００は、少なくとも１つの表示装置１１１をさらに備えることができる。表示装置１１１は、複数の透過部１０２に光を提供するように構成される。表示装置１１１は、ディスプレイの画素または画素グループ１１２がキー要素１０１に割り当てられたＬＣＤまたはＯＬＥＤを備えることができる。図１ａに示されるように、画素グループ１１２は、表示装置１１１から打ち抜かれており（すなわち例えば画素グループ１１２は、表示装置１１１から他の部分を打ち抜くことによりグループ化されている）（打抜き部および／または表示装置９１１の画素に関するより詳細な説明について図８を参照）、かつ画素グループ１１２は、透過部１０２を備えるキー要素とドーム要素１０６，１０７，１０９との間に配置されている。したがって、画素グループ１１２から出た光は、透過部１０２を通過することができる。画素グループ１１２は、１または２の方向に１または複数の画素を備えることができる、すなわち直線的または平面的な配置を画素グループ１１２画素に含むことができる。
【００２１】
図１ａに示すように、弾性および可撓性のマットが、表示装置１１１および複数のキー要素１０１，１０８の間に配置される。
【００２２】
実施形態において、動的表示キーボード１００は、そのうえ、どのキー要素１０１，１０８が押下されたかを決定する複数のパッド１１９を備えるプリント回路基板（ＰＣＢ）１１５を備えることができる。パッドは、実施形態において、例えば導電性カーボンなどのカーボンで作られる、および／または当該カーボンを備えることができる。
【００２３】
ＰＣＢは、表示装置１１１の下に配置されることができる。
【００２４】
各パッド１１９は、第１および第２パッド部を備え、第１パッド部は、第２パッド部から電気的に隔離されている。キー要素１０１が押される場合、導電要素１２０は、表示装置１１１の画素グループ１１２が打ち抜かれることにより光生成層１１１に残された開口部を通過し、第１および第２パッド部品に接触するようになり、それにより第１および第２パッド部品の少なくとも１つのパッド１１９が短絡し、それにより押下されたキー要素１０１を検出することができる。
【００２５】
さらに、穴などの通路または開口部１１３がマット１０５に含まれる。通路１１３は、表示装置１１１の一部がマット１０５を通過することができるように配置される。
【００２６】
実施形態において、処理装置１００１は、Ｂｌｕｅｔｏｏｔｈ（登録商標）またはケーブルなどの無線および／または有線通信リンク１００２を介して光生成層１１１と通信可能に連結することができる。処理装置１００１は、キー要素１０２の下のそれぞれの画素グループ１１２に制御信号を提供することにより、どのキー要素１０１にどの文字を表示すべきかを決定することができる。実施形態において、処理装置１００１は、電力網および／またはバッテリーへの接続などの電力供給装置をさらに備える。
【００２７】
実施形態において、後述の図２、図４、図５、図７、および図８の任意の実施形態は、上記に開示される処理装置１００１に通信可能に連結することができる。
【００２８】
実施形態において、ＰＣＢ回路は、Ｂｌｕｅｔｏｏｔｈ（登録商標）またはケーブルなどの無線および／または有線通信リンクを介して処理装置１００１に通信可能に連結される。検出された押下されたキー要素１０１の値は、さらなる処理のためにＰＣＢ回路から処理装置１００１へ送信される。
【００２９】
図１ｄに示される実施形態において、表示装置１１１は、マット１０５の上に、すなわち例えばマット１０５が表示装置１１１およびＰＣＢ１１５の間になるように配置することができる。この実施形態において、マット１０５は、１つの部品として、すなわち図１の穴１１３なしで成型することができる。
【００３０】
図８は、表示装置１１１の実施形態９００を示し、表示装置１１１は、ＯＬＥＤ等の薄い可撓性層表示装置９１１を備えている。
【００３１】
実施形態において、薄層表示装置９１１の厚さは、０．１ｍｍ〜０．２ｍｍなどの０．０５ｍｍ〜０．５ｍｍの範囲である。
【００３２】
実施形態において、薄層表示装置９１１の厚さは、１ｍｍ以下、０．５ｍｍ以下、０．２ｍｍ以下などの２ｍｍ以下である。
【００３３】
薄層表示装置９１１は、各複数のキー要素１０１，１０８，１１７について打抜き部（可動部）９０１，９０２，９０３（それぞれの光生成層を形成する）を備え、打抜き部は、方向１１０に垂直な薄層表示装置の平面、例えばコンピュータキーボードのキーの平面を表す。各打抜き部９０１，９０２，９０３は、薄層表示装置９１１に含まれる個々の表示装置を構成する。
【００３４】
図８によく示されるように、表示装置９１１の打抜き部（または可動部）が設けられるように、表示装置９１１は打ち抜かれる。打抜き部は、表示装置の残りの部分に接続される。したがって、表示装置を打ち抜いた（またはパンチした）後、表示装置９１１は、各キー要素について可動部（打抜き部）を備え、かつフレーム部９０５を備える。
【００３５】
各可動部は、フレーム部に対して移動可能である。したがって、可動部は、それぞれのキー要素の移動中に動くことができる。
【００３６】
表示装置の打抜き（またはパンチ）部の代わりとして、表示装置は、表示装置の成形により表示装置全体を作ることによって表示装置のパンチ（または打ち抜き）部なしで、複数の可動部およびフレームを設けるように作ることができる。
【００３７】
表示装置の打ち抜き（またはパンチ）部の代わりとして、材料が別な方法で除去されたラインに沿った切断部または断絶部を表示装置に設けることができる。したがって、実施形態において、可動部の製作中に表示装置のどの部分も除去されない。
【００３８】
図１に示すように、打抜き部（可動部）９０１の外側部分９０４は、各キー要素１０１，１０６，１０９の透過部１０２およびドーム要素１０７の間に配置される。これは、打抜き部９０１を薄層表示装置９１１の平面から持ち上げ、ＰＣＢ１１５およびマット１０５のそれぞれの穴１１６，１１３を通ってガイドし、かつ打抜き部９０１の外側部分９０４を透過部１０２の下に設置することにより達成されることが可能である。その後、触覚フィードバックをキー要素１０１に提供するために、ドーム要素１０７をキー要素１０１に挿入することができる。外側部分９０４は、キー要素１０１に移動可能に接続されている。それにより、各打抜き部９０１，９０２，９０３の外側部分９０４は、キー要素１０１と共に移動することができ、キー要素には、例えばキー要素が押下された場合に外側部分９０４が移動可能に接続されている。したがって、打抜き部は、可動部とすることができる。
【００３９】
実施形態において、各打抜き部の外側部分３０４の各画素は、薄層表示装置に統合されたデータバスを介してアドレス指定される。
【００４０】
図８の実施形態において、各個別の光生成層の打抜き部は、打抜き部の第１側に沿った第１の幅９９９、および打抜き部の第２側に沿った第２の厚さ９９８を備える。厚さ９９９および９９８は、約１ｍｍ以上、例えば１．０ｍｍ＋／−０．１ｍｍ以上とすることができる。実施形態において、厚さ９９９および９９８は、３．０ｍｍ＋／−０．５ｍｍである。
【００４１】
幅９９９は、平衡状態から押下される間に、または平衡状態（キー要素が押下されていない）に戻る間に関連するキー要素１０１が移動する際に、薄い可撓性表示装置９１１の画素グループ１１２を柔軟にすることができる。
【００４２】
図６は、シザース式スイッチを備える動的表示キーボード内のキー１１００の実施形態を示す。
【００４３】
キー１１００は、シザース式要素１０６を備える。シザース式要素１０６は、閉じた上部１１０１を備えることができ、閉じた上部の下に棒１１０２を接着、加硫、溶着等により取り付けることができる。棒１１０２は、鉄ドープゴム（iron doped rubber）等の導電材料から作られる、および／または当該材料を備えることができる。シザース式要素１０６はさらに、ハサミを開くように枢軸点１１０３の周りに折りたたみ可能な２つのＸ−形状の構造備えることができる。さらに、シザース式要素１０６は、上部１１０１の角に配置されたスペーサ（図示せず）を介してキー要素１０１に固定接続されることができる。スペーサは、キー要素１０１および上部１１０１に接着、加硫、溶着等によって固定されることができる。それにより、スペーサは、上部１１０１およびキー要素１０１の間に間隙を作り、その間隙に、打抜き部９０１，９０２，９０３の外側部分９０４を配置することができる。したがって外側部分９０４は、キー要素１０１または上部１１０１に移動可能に接続される（固定されない）が、キー要素１０１が押下される場合に上部１１０１の表面で滑らかに動くことができる。外側部分９０４は、薄い可撓性層表示装置９１１との接続によって上部１１０１およびキー要素１０１の間の所定の場所に保持される。さらに、スペーサは、そのうえレールとして作用し、それによって外側部分９０４を横方向１１０７の所定の場所に保持することができる。
【００４４】
スペーサを介して上部１１０１に固定接続されたキー要素１０１に力１１０４が加えられる場合、Ｘ構造の底部は、レールまたはトラック上を方向１１０５に滑り、それによりシザース式要素１０６の高さが低くなる。ある点で棒１１０２は、ＰＣＢ１１５のパッド配置１１９に物理的に接触するようになり、それによって２つのパッド部品の間の電気接触がなされ、かつシザース式要素１０６に関するキー要素１０１が押下されていることを検出することができる。
【００４５】
図１ａに示すようにＰＣＢ１１５は、マット状構造に配置することができ、各キー要素１０１に対して少なくとも１つのＰＣＢを備える。実施形態において、薄い可撓性層表示装置９１１は、キー要素およびＰＣＢ１１５の間に配置される。それにより、ＰＣＢは、表示装置１１１のための開口部（例えば図１ａ参照）がない１つの部品として成型することができる。代替の実施形態において、表示装置１１１は、ＰＣＢの下に配置されることができる。したがって、ＰＣＢ１１５は、外側部分９０４を間隙に配置するために打抜き部が通過することができる開口部を備えることができる。
【００４６】
実施形態１１００は、ラップトップ等で知られる薄型タイプキーボードで使用することができる。薄型タイプキーボードは、個々のキーが指によって動く部品（キー要素）備え、当該部品は使用者がキーを押す間に例えば３ｍｍ未満、２ｍｍ未満で動くように構成されているキーボードとすることができる。
【００４７】
図２は、ドーム要素を備える動的表示キーボードの実施形態２００を示す。上述の実施形態１００のように、動的表示キーボード２００は、透明部１０２を備えるキー要素１０１を備える。透明部１０２は、キー要素２０１に、接着、加硫、溶着等で接続されることができる。
【００４８】
さらに、上述したように、動的表示キーボード２００は、ゴムなどの弾性および可撓性の材料から作られているおよび／または備えるマット１０５をさらに備える。ゴムマット１０５は、上述したような触覚フィードバックを提供することができるドーム要素２０１，２０２などの複数の隆起要素を備える。
【００４９】
図２のドーム要素２０１，２０２は、図２に示すように平面で台形の断面形状を備えることができる。さらに、ドーム要素２０１，２０２の断面形状は、Ｘ−Ｘ平面では正方形とすることができる。上述したしたように、ゴムマット１０５は、一端部２０４にて開口し、かつ他端部２０３では閉じている。
【００５０】
実施形態において、動的表示キーボード２００は、薄い可撓性層表示装置９１１を備えることができる。
【００５１】
画素グループ１１２（すなわち例えば表示装置の可動部に含まれる）は、透過部１０２を備えるキー要素１０１および閉じたドーム要素２０５の間に配置されることができる。画素グループ１１２によって放出された光は、透過部１０２を通過することができる。画素グループ１１２は、１または２の方向に１または複数の画素を備えることができる、すなわち画素の直線または平面配列が画素グループ１１２に含まれても良い。
【００５２】
画素グループ１１２を備える表示装置の一部９０４は、キー要素１０１に、または閉じたドーム要素２０５の上部に配置することができる、または閉じたドーム要素２０５の上部またはキー要素１０１に物理的に接触しないように、すなわち打抜き部９０１の残りの部分で支持されることによりキー要素１０１およびドーム要素２０５の間で浮くようにすることができる。
【００５３】
さらに、穴などの通路１１３がマット１０５に含まれる。通路１１３は、薄い可撓性層表示装置９１１の一部がマット１０５を通過することができるように配置される。
【００５４】
この実施形態において、ゴムマット１０５は、キー要素１０１を例えば接着、加硫、溶着等で固定することができる固定器２０５をさらに備える。固定器２０５の対向する内側の間の水平距離は、透明部１０２を含む平面のそれぞれの範囲における透明部１０２の大きさに対応させることができる。固定器２０５は、キー要素１０１を配置することができる安定したプラットフォームを提供するように、硬いプラスチックまたはゴム材料から作られている、および／または当該材料を備えることができる。
【００５５】
実施形態において、固定器２０５は、電流を流すことができる。例えば、硬いプラスチックまたはゴムを鉄等の金属粉末でドープすることができる。代わりに、またはそのうえ、固定器２０５は、電気閉回路を提供する電線を含むことができる。
【００５６】
実施形態において、固定器２０５は、マット１０５の製造中に成型される。実施形態において、動的表示キーボード１００はそのうえ、キー要素１０１，１０８が押下されているかを決定するために、複数のパッド１１９を備えるプリント回路基板（ＰＣＢ）１１５を備えることができる。
【００５７】
ＰＣＢは、表示装置１１１の下、かつ弾性および可撓性のマット１０５の下に配置されることができる。
【００５８】
各パッド１１９は、第１および第２パッド部を備え、第１パッド部は、第２パッド部から電気的に隔離されている。キー要素１０１が押される場合、導電要素１２０は、表示装置１１１の画素グループ１１２が打ち抜かれることにより光生成層１１１に残された開口部を通過し、第１および第２パッド部品に接触するようになり、それにより第１および第２パッド部品の少なくとも１つのパッド１１９が短絡し、それにより押下されたキー要素１０１を検出することができる。
【００５９】
さらに、穴などの通路または開口部１１３がマット１０５に含まれる。通路１１３は、表示装置１１１の一部がマット１０５を通過することができるように配置される。
【００６０】
実施形態において、表示装置１１１は、マット１０５の上に配置されることができる。したがって、マット１０５は、開口部１１３なしで成形することができる。
【００６１】
図９ａは、動的表示キーボードのキー１２００の実施形態を示す、キーは、ドーム要素２０１と、透明部１０２を備える関連するキー要素１０１とを備える。ドーム要素２０１は、例えば１つの部品に成形され、かつ固定器２０５は、同じ製造ステップ内で成形されることができる。表示装置（図示せず）の打抜き部９０１の外側部分９０４を固定器２０５に配置できるように、固定器２０５は硬いものである。表示装置（図示せず）は、マット１０５の下に配置することができる。いくつかのスペーサ１２０１は、（この実施形態においては４つのスペーサ１２０１が固定器２０５の各角に配置されている；あるいは、２つのスペーサがそれぞれ、キー要素および固定器２０５の間に配置された表示装置の部分９０４に沿っている）接着、加硫、溶着等で固定器２０５に固定接続される。接着、加硫等を用いてスペーサの上部にキー要素１０１が固定接続される。それにより、キー要素１０１および固定器２０５の間に空間が存在し、そこに表示装置（図示せず）の打抜き部９０１の外側部分９０４が配置される。穴等の開口部１１３は、打抜き部９０１が開口部１１３を通り誘導されるようにドーム要素の間に含まれ、打抜き部９０１の外側部分９０４は、空間に配置されることができる（固定器２０５またはキー要素１０１に配置されるか、または打抜き部９０１への連結により空気中に浮いている）。それにより、キー要素１０１の英数字の値を提供する外側部分は、キー要素１０１が押下される場合に固定器２０５の平面内で自由に移動することができる。
【００６２】
図９ｂは、表示装置１１１がマット１０５の上に配置された図９ａの実施形態を示す。この実施形態においては、マット１０５は、１つの部品として、すなわち図１の穴１１３なしで成型することができる。
【００６３】
図３は、導電性の固定器を備える動的表示キーボード２００のキー要素１０１が押下された状態の実施形態を示す。この実施形態において、薄い可撓性層表示装置９１１は、容量検出によるタッチセンサー式のディスプレイである。それにより、キー要素１０１が押下される場合に、導電要素２０５は、表示装置１１１の画素グループ１１２が打ち抜かれることにより光生成層１１１に残された開口部を通過し、ＰＣＢ１１５の第１および第２パッド部品に接触するようになり、それにより第１および第２パッド部品の少なくとも１つのパッド１１９が短絡し、それによりＰＣＢ１１５によって押下されたキー要素１０１を検出することができる。検出された押下されたキーの値は、さらなる処理のために処理装置１００１に送信される。
【００６４】
図４は、キー要素１０１が含まれる層４０１をさらに備える動的表示キーボード２００の実施形態４００を示す。
【００６５】
層４０１は、カラー／うね４０２を備えることができる。カラー／うね４０２は、ゴムなどの弾性および可撓性の材料から作られる、および／または当該材料を備えることができる。そのうえ、層４０１は、硬く、非可撓性のプラスチックから作られる、および／または当該プラスチックを備える硬い部分４０４を備えることができる。
【００６６】
硬い部分４０４およびマット１０５の間（１１０の方向）に、すなわちマット１０５のドーム要素２０１の間に（４０５の方向）支持要素４０３を配置することができる。支持要素４０３は、層４０１を支持する。支持要素４０３は、硬い部分４０４およびマット１０５に接着または加硫または溶着されることができる。
【００６７】
キー要素１０１は、透明部１０２、すなわち透明な窓を備える。キー要素１０１は、カラー／うね４０２に接着または加硫、または溶接されることができる。
【００６８】
実施形態において、カラー／うね４０２は、透明な弾性および可撓性の材料から作られる、および／または当該材料を備える。
【００６９】
動的表示キーボードは、表示装置９０１の打抜き部９０１の外側部分９０４に関連した画素グループ１１２をさらに備える。外側部分９０４がキー要素および固定器２０５の間に配置されるように、打抜き部９０１は、マット１０５の穴１１３を通り誘導される。
【００７０】
実施形態において、動的表示キーボード４００は、薄い可撓性層表示装置９１１の下にＰＣＢ回路１１５を備える。
【００７１】
実施形態において、それぞれの外側部分９０４の上部から薄い可撓性層表示装置９１１の平面のフレーム部までの高さは、約２．０ｍｍ〜約３．０ｍｍ、すなわち例えば２．０ｍｍ＋／−０．３ｍｍ〜３．０ｍｍ＋／−０．３ｍｍの範囲である。
【００７２】
図５は、動的表示キーボード４００のキー要素１０１が押下された状態の実施形態を示す。押下された状態において、押下されたキー要素１０１のドーム要素２０１および押下されたキー１０１のカラー／うね４０２は、キー要素１０１の触覚フィードバックを提供するために屈曲している。
【００７３】
実施形態において、キー要素１０１が押下される場合に、導電性固定器２０５は、表示装置１１１の画素グループ１１２が打ち抜かれることにより光生成層１１１に残された開口部を通過し、ＰＣＢ１１５の第１および第２パッド部品に接触するようになり、それにより第１および第２パッド部品の少なくとも１つのパッド１１９が短絡し、それによりＰＣＢ１１５によって押下されたキー要素１０１を検出することができる。検出された押下されたキーの値は、さらなる処理のために処理装置１００１に送信される。３０１および３０２は、押下された／屈曲したドーム要素２０１、２０２を示し、４１０および４１２は、押下された／屈曲したカラー／うね要素４０２および４１１を示す。
【００７４】
とりわけこの実施形態は、容易に清掃できる層４０１を有するキーボードを提供し、ちりおよび他の物体または流体がドーム要素２０１の間に落ちるのを防ぐ。
【００７５】
図７は、実施形態１，２，および４のいずれかによる動的表示キーボード７０１を備える、すなわち取り外し可能な部分６０２および薄い可撓性層表示装置１１１を備える装置の実施形態７００を示す。そのうえ、装置は、ＬＣＤフラットパネル等の第２光生成層７０２をさらに備える。
【００７６】
装置７００は、摺動機構を備えることができ、装置は、図７（ａ）に示されるような閉じた状態、動的表示キーボードが使えるように取り外し可能な部分６０２および薄い可撓性層表示装置９１１を備えた動的表示キーボード７０１が滑り出る７（ｂ）の状態、およびより大きな全体の光生成装置領域を提供するために第２光生成層７０２のみが滑り出る７（ｃ）の状態となることができる。
【００７７】
実施形態において、取り外し可能な部分６０２および薄い可撓性層表示装置９１１は、図７（ｂ）のように摺動可能とするために、共にヒンジで連結されることができる。図７（ｃ）は、取り外し可能な部分６０２および薄い可撓性層表示装置９１１を共にヒンジで動くようにしたヒンジを開くことによって達成される。
【００７８】
１つの態様において、上述の動的表示キーボードは、例えば異なる値をキーボードのキーに提供するために使用することができる。ある日は、キーボードは、ラテン文字のキーの値を提供することができ、次の日は、キリル文字のキー値を提供することができる。あるいは、またはそのうえ、動的表示キーボードは、ＡｌｔＧｒ，ＣＴＲＬ等の特別なキーの使用を容易にすることができる。これらの特別なキーの一つを押下する場合、動的表示キーボードは、特別なキーの押下に組み合わすことができるキーおよびキー値のみを明るくすることができる。
【００７９】
実施形態において、キーボードは、電気ケーブルおよび／またはBluetooth（登録商標）リンクなどの有線および／または無線通信リンクを介してコンピュータシステムに含まれることができる。この実施形態において、キーボードは、短距離無線受信機および送信機（例えばBluetooth（登録商標）送信機および受信機）を備えることができ、かつコンピュータシステムは、類似の短距離無線受信機および送信機を備えることができる。そのうえ、または、別の方法として、キーボードおよびコンピュータシステムは、電線のためのソケットを備えることができ、該ソケットを介してコンピュータシステムおよびキーボードは、電線によって接続される。
【００８０】
いくつかの実施形態が記載され、詳細に説明されたが、本発明は、これらに制限されず、以下の請求項に定義された主題の範囲内の他の方法で具現化することができる。特に、本発明の技術的範囲を逸脱することなく、他の実施形態を利用できる、かつ構造的なおよび機能的な改良をなすことができるということが理解されるべきである。
【００８１】
いくつかの手段を列挙した装置の請求項において、これら手段のいくつかは、ハードウェアが同一のアイテムによって具現化することができる。特定の手段が相互に異なる従属項に記載されている、または異なる実施形態に記載されているという単なる事実は、これらの手段の組合せが効果的に使用できないことを示すものではない。
【００８２】
記述全体を通して、「上」および「下」などの語句は、キーボードが水平面上に位置しており、キーボードの使用者が操作するためにキー要素が上方に向いている状況であると理解されるべきである。
【００８３】
本明細書で使用される場合の「備える／備えている」という語句は、述べられた機構、整数、ステップまたは構成要素の存在を特定するものであるが、１つまたは複数の他の機構、整数、ステップ、構成要素またはそれらのグループの存在または追加を除外するものではないということが強調されるべきである。
【００８４】
項目
１．動的表示キーボードであって、
−  各キー要素１０１が透過部に入射する光の少なくとも一部を透過することが可能な透過部１０２を備える、複数のキー要素１０１と、
−  各キー要素１０１のための隆起要素１０６，１０７，１０９，２０１，２０２であって、触覚フィードバックを提供することが可能な隆起要素と、；
−  各キー要素１０１は、少なくとも１つのスペーサ１２０１を介して少なくとも１つのそれぞれの隆起要素１０６，１０７，１０９，２０１，２０２に固定接続されており、；
−  各キー要素のための可動部９０１を備える少なくとも１つの表示装置１１１，９１１であって、かつ可動部の少なくとも一部９０４は、キー要素１０１および隆起要素１０６，１０７，１０９，２０１，２０２の間に配置された、少なくとも１つの表示装置１１１，９１１と、
を備え、かつ
−  透過部１０２を通り伝搬する光が、対応するキー要素１０１の表示値を規定する、
動的表示キーボード。
２．隆起要素が弾性マット１０５に含まれ、かつ隆起要素がキー要素の移動方向を制御するよう構成されている、項目１に記載の動的表示キーボード。
３．隆起要素が弾性マット１０５に含まれ、各隆起要素がそれぞれのシザース式要素に固定接続され、および各シザース式要素がキー要素の移動方向を制御するよう構成されている、項目１に記載の動的表示キーボード。
４．キー要素１０１が固定接続された隆起要素１０６，１０７，１０９，２０１，２０２の一部２０５は、硬く、かつ導電性である、項目１〜３のいずれか一項に記載の動的表示キーボード。
５．動的表示キーボードが各キー要素のためのカラー４０２を備える層４０１をさらに備え、かつ透過部１０２を備える各キー要素１０１は、それぞれのカラー４０２に固定接続されている、項目１〜４のいずれか一項に記載の動的表示キーボード。
６．動的表示キーボードが層４０１およびマット１０５の間に位置し、かつ層４０１を支持する少なくとも１つの支持要素４０３をさらに備える、項目５に記載の動的表示キーボード
７．少なくとも１つの表示装置１１１，９１１の上部から、部分９０４の上部までの高さが、２．０ｍｍ〜３．０ｍｍの範囲から選択される、項目１〜６のいずれか一項に記載の動的表示キーボード
８．透過部が透明である項目１〜７のいずれか一項に記載の動的表示キーボード。
９．動的表示キーボードが押下されたキー要素１０１を検出するよう構成されたＰＣＢ１１５をさらに備える、項目１〜８のいずれか一項に記載の動的表示キーボード。
１０．表示装置が弾性マット１０５の下に配置され、および弾性マット１０５が各キー要素のための開口部を備えているため、キー要素１０１に関連する表示装置１１１の打抜き部が開口部を通って誘導され、かつキー要素１０１およびキー要素１０１が固定接続されている隆起要素の間の間隙に配置される、項目２または項目３に記載の動的表示キーボード。
１１．キー要素１０１に関連する表示装置１１１の打抜き部がキー要素１０１およびキー要素１０１が固定接続されている隆起要素の間の間隙に位置するように、表示装置が弾性マット１０５の上に配置される、項目２または項目３に記載の動的表示キーボード。
１２キーボードで使用するキーであって、
−  透過部に入射する光の少なくとも一部を透過することが可能な透過部１０２を備えるキー要素１０１と、；
−  キーが押下される場合に触覚フィードバックを提供するよう構成された隆起要素１０６，１０７，１０９，２０１，２０２と、を備え、；
−  キー要素１０１は、隆起要素１０６，１０７，１０９，２０１，２０２に少なくとも１つのスペーサ１２０１を介して固定接続されて、キー要素１０１および隆起要素の間に間隙を作り、
−  かつ、間隙は、表示装置１１１の可動部９０１の少なくとも一部９０４を備えるよう構成されている、キー。
１３．隆起要素が少なくとも１つの表示装置１１１，９１１および複数のキー要素１０１の間に位置する弾性マット１０５に含まれ、かつ隆起要素は、キー要素の移動方向を制御するよう構成されている、項目１２に記載のキー要素。
１４．隆起要素がシザース式要素に固定接続され、かつシザース式要素は、構キー要素の移動方向を制御するよう成されている、項目１２に記載のキー要素。
【符号の説明】
【００８５】
１００  動的表示キーボード
１０１，１０８，１１７  キー要素
１０２  透過部
１０５  マット
１０６，１０７，１０９，２０１，２０２  隆起要素
１１０  移動方向
１１１  表示装置
１１２  画素グループ
１１３  開口部
１１５  プリント回路基板（ＰＣＢ）
１１９  パッド
１２０  導電要素
【図１ａ）】
2013524604.tif 000003
【図１ｂ）】
2013524604.tif 000004
【図１ｃ）】
2013524604.tif 000005
【図１ｄ）】
2013524604.tif 000006
【図２】
2013524604.tif 000007
【図３】
2013524604.tif 000008
【図４】
2013524604.tif 000009
【図５】
2013524604.tif 000010
【図６】
2013524604.tif 000011
【図７（ａ）】
2013524604.tif 000012
【図７（ｂ）】
2013524604.tif 000013
【図７（ｃ）】
2013524604.tif 000014
【図８】
2013524604.tif 000015
【図９ａ）】
2013524604.tif 000016
【図９ｂ）】
2013524604.tif 000017
【手続補正書】
【提出日】平成24年1月31日(2012.1.31)
【手続補正１】
【補正対象書類名】特許請求の範囲
【補正対象項目名】全文
【補正方法】変更
【補正の内容】
【特許請求の範囲】
【請求項１】
動的表示キーボードであって、
−  各キー要素が透過部に入射する光の少なくとも一部を透過するよう構成された透過部を備える、複数のキー要素と、
−  各隆起要素が触覚フィードバックを提供するよう構成されている、各キー要素のための隆起要素と、；
−  各キー要素を少なくとも１つのそれぞれの隆起要素に固定接続するための、各キー要素のための少なくとも１つのスペーサと、
−  フレーム部を備え、かつ各キー要素のための可動部を備える表示装置であって、各可動部は、前記フレーム部に対して移動可能であり、各可動部の外側部分は、それぞれのキー要素および対応する前記隆起要素の間に位置し、前記表示装置は、それぞれの透過部を通り伝播する光であるそれぞれの外側部分からの光が、対応する前記キー要素の表示値を規定するように構成され、前記表示装置が、前記フレーム部と、各可動部とを備える薄い可撓性層ディスプレイを備え、かつ前記表示装置の厚さが２ｍｍ以下である、表示装置と、
を備える、動的表示キーボード。
【請求項２】
前記薄層表示装置の厚さが、０．１ｍｍ〜０．２ｍｍの範囲である、請求項１に記載の動的表示キーボード。
【請求項３】
前記薄層表示装置に統合されたデータバスを備え、前記データバスが、各前記可動部の前記外側部分をアドレス指定する、請求項１または２に記載の動的表示キーボード。
【請求項４】
前記隆起要素を含む弾性マットを備え、それぞれの前記隆起要素が各々それぞれの前記キー要素の移動方向を制御するよう構成されている、請求項１〜３のいずれか一項に記載の動的表示キーボード。
【請求項５】
前記隆起要素を含む弾性マットを備え、各前記隆起要素がそれぞれのシザース式要素に固定接続され、かつ各前記シザース式要素がそれぞれの前記キー要素の移動方向を制御するよう構成されている、請求項１〜３のいずれか一項に記載の動的表示キーボード。
【請求項６】
前記キー要素が固定接続されている前記隆起要素の一部は、硬く、かつ導電性である、請求項１〜５のいずれか一項に記載の動的表示キーボード。
【請求項７】
各キー要素のためのカラーを備える層を備え、各キー要素は、それぞれのカラーに固定接続されている、請求項１〜６のいずれか一項に記載の動的表示キーボード。
【請求項８】
前記動的表示キーボードが少なくとも１つの支持要素をさらに備え、該支持要素は、各キー要素のためのカラーを備える前記層と、前記マットとの間に配置され、かつ各キー要素のためのカラーを備える前記層を支持する、請求項４または５を引用する場合の請求項７に記載の動的表示キーボード。
【請求項９】
前記表示装置の前記フレーム部の上部から前記可動部のそれぞれの外側部分の上部までの高さが、２．０ｍｍ〜３．０ｍｍの範囲から選択される、請求項１〜８のいずれか一項に記載の動的表示キーボード。
【請求項１０】
前記透過部が透明である、請求項１〜９のいずれか一項に記載の動的表示キーボード。
【請求項１１】
押下されたキー要素を検出するよう構成されたプリント回路基板を備える、請求項１〜１０のいずれか一項に記載の動的表示キーボード。
【請求項１２】
前記表示装置が前記弾性マットの下に配置され、および前記弾性マットが各キー要素のための開口部を備えており、それぞれのキー要素に関連する前記表示装置のそれぞれの可動部が、前記開口部を通って誘導され、かつ前記キー要素と前記キー要素が固定接続された前記隆起要素との間の間隙に配置されるように構成されている、請求項４または５を引用する場合の請求項６〜１１のいずれか一項に記載の動的表示キーボード。
【請求項１３】
前記表示装置が前記弾性マットの上に配置されており、それぞれのキー要素に関連する前記表示装置のそれぞれの可動部が、前記キー要素と前記キー要素が固定接続された前記隆起要素との間の間隙に配置されるように構成されている、請求項４または５を引用する場合の請求項６〜１２のいずれか一項に記載の動的表示キーボード。
【国際調査報告】
2013524604.tif 000018
2013524604.tif 000019
2013524604.tif 000020